(57)【要約】【課題】外装ケースの外観意匠を向上でき、製造コストを低減でき、小型化も実現できるアンテナ内蔵式電子時計を提供すること。【解決手段】電波修正時計１は、外装ケース９と、外装ケース９内に配置されたアンテナ２１と、モータ４１１，４２１と、モータ４１１，４２１を受信動作時に停止する駆動制御回路部とを備える。モータ４１１，４２１のモータコイル４１２，４２２は、アンテナ２１の軸方向に隣接して配置される。電波受信時にモータは停止されるので、各モータコイル４１２，４２２はアンテナ２１の無給電素子として機能する。外部無線情報はモータコイル４１２，４２２を通過する際にその磁界強度が高められるため、アンテナ２１内を通過する磁束量が高まり、アンテナ特性が向上する。【選択図】図４
2005049154.tif 000002
【特許請求の範囲】
【請求項１】
外装ケースと、この外装ケース内に配置されて外部無線情報を受信するアンテナと、アンテナで受信した外部無線情報を処理する受信手段と、時刻表示手段と、前記受信手段および時刻表示手段の駆動を制御する駆動制御手段とを備え、
前記アンテナは、コアおよびコアに巻かれたコイルにより構成され、
前記時刻表示手段は、モータコイルを有するモータと、このモータによって駆動される表示部とを備えて構成され、
前記モータコイルは、前記アンテナの軸方向に隣接して配置されて前記アンテナのコイルと磁気的に結合可能とされ、
前記駆動制御手段は、前記受信手段が駆動されている際に前記モータを停止し、前記モータコイルをアンテナの無給電素子として機能させることを特徴とするアンテナ内蔵式電子時計。
【請求項２】
請求項１に記載のアンテナ内蔵式電子時計において、
前記アンテナおよびモータコイルは、外装ケースの内周面に沿って配置されていることを特徴とするアンテナ内蔵式電子時計。
【請求項３】
請求項１または請求項２に記載のアンテナ内蔵式電子時計において、
前記外装ケースの少なくとも一部は金属で構成されていることを特徴とするアンテナ内蔵式電子時計。
【請求項４】
請求項１〜３のいずれかに記載のアンテナ内蔵式電子時計において、
前記駆動制御手段は、前記受信手段が駆動されている際に、前記モータコイルを所定の電位に固定することを特徴とするアンテナ内蔵式電子時計。
【請求項５】
請求項１〜４のいずれかに記載のアンテナ内蔵式電子時計において、
前記モータは少なくとも２つ設けられ、各モータは、前記アンテナを挟んで配置されていることを特徴とするアンテナ内蔵式電子時計。
【請求項６】
請求項１〜５のいずれかに記載のアンテナ内蔵式電子時計において、
前記コアは積層アモルファス箔からなる磁性体で構成されていることを特徴とするアンテナ内蔵式電子時計。
【請求項７】
請求項１〜６のいずれかに記載のアンテナ内蔵式電子時計において、
電力供給用の電池を備え、前記アンテナは、外装ケースの内周面の中心を挟んで前記電池の反対側に配置されていることを特徴とするアンテナ内蔵式電子時計。
【発明の詳細な説明】
【０００１】
【発明の属する技術分野】
本発明は、時刻情報等を含んだ外部無線情報を受信して時刻修正等の処理を行う電波修正時計に代表されるアンテナ内蔵式電子時計に関する。
【０００２】
【背景技術】
外部からの時刻情報を受信して時刻修正を行う電波修正時計等のアンテナ内蔵式電子時計が知られている。
このようなアンテナが内蔵された電子時計においては、指針を駆動するモータの駆動に伴い発生するノイズが受信性能に悪影響を与える可能性があるため、モータコイルとアンテナとは可能な限り平面的に離して配置していた（例えば、特許文献１参照）。
【０００３】
【特許文献１】
特開２００３−１２１５６９号公報（段落００１０）
【０００４】
【発明が解決しようとする課題】
しかしながら、腕時計のような狭いスペース内に、アンテナおよびモータを平面的に離して配置する場合、アンテナの長さ寸法を長くすると、その分、モータに近づくことになる。従って、アンテナの長さをあまり長くできず、アンテナ特性を向上することが難しいという問題があった。
【０００５】
本発明の目的は、アンテナ内蔵式電子時計において、アンテナ特性を向上することができるアンテナ内蔵式電子時計を提供することにある。
【０００６】
【課題を解決するための手段】
本発明のアンテナ内蔵式電子時計は、外装ケースと、この外装ケース内に配置されて外部無線情報を受信するアンテナと、アンテナで受信した外部無線情報を処理する受信手段と、時刻表示手段と、前記受信手段および時刻表示手段の駆動を制御する駆動制御手段とを備え、前記アンテナは、コアおよびコアに巻かれたコイルにより構成され、前記時刻表示手段は、モータコイルを有するモータと、このモータによって駆動される表示部とを備えて構成され、前記モータコイルは、前記アンテナの軸方向に隣接して配置されて前記アンテナのコイルと磁気的に結合可能とされ、前記駆動制御手段は、前記受信手段が駆動されている際に前記モータを停止して前記モータコイルをアンテナの無給電素子として機能させることを特徴とするものである。
【０００７】
このような本発明においては、駆動制御手段により、電波受信時にはモータは停止されているので、アンテナの軸方向に隣接してモータコイルを配置した場合でも、モータコイルのノイズが受信信号に影響することを防止できる。
そして、ノイズが発生していないモータコイルは、アンテナの軸方向に隣接して配置することで、アンテナと磁気的に結合し、アンテナの無給電素子（非励磁素子）として機能させることができる。このため、外部無線情報（電波）はモータコイルを通過する際にその磁界強度が高められ、アンテナ内を通過する磁束量が高まるため、アンテナ特性を向上することができる。
なお、モータコイルがアンテナの軸方向に隣接するとは、モータコイルがアンテナの軸先方向に隣接していること、つまり、モータコイルの一方の端部が、他の部材を介すことなく、前記アンテナの一方の端部に近接して配置されていることを意味する。さらに、アンテナおよびモータコイルの各端部が近接して配置されているとは、アンテナおよびモータコイルの各端部同士が当接されている場合に限らず、所定間隔離れて配置されていてもよく、要するに受信動作時に磁気的に結合できる間隔で隣接配置されていればよい。この磁気的結合が可能な間隔は、アンテナ長によって変化し、アンテナ長が長くなると、モータコイルとの間隔が大きくなっても磁気的結合が可能となる。従って、アンテナおよびモータコイルの間隔は、アンテナ長に応じて設定すればよい。
また、モータによって駆動される表示部としては、時針、分針、秒針、クロノグラフ秒針等の各種指針に限らず、日付が印刷された日車等も含むものであり、時計で計時する各種時刻（年月日等も含む）、時間を表示するものであればよい。
【０００８】
さらに、前記アンテナおよびモータコイルは、外装ケースの内周面に沿って配置されていることが好ましい。
アンテナおよびモータコイルが外装ケースの内周面に沿って配置されていれば、つまりアンテナおよびモータコイルの軸方向がケース内周面にほぼ沿っていれば、アンテナやモータコイルの端面が外装ケースの内周面に対向していないので、外装ケースを金属製とした場合でも、そのケース内に配置されるアンテナを、外装ケースに近接して配置することができ、アンテナ特性を向上できる。
すなわち、外装ケースを金属製にした場合には、アンテナやモータコイルのように電波の磁束が鎖交する部材の端面が外装ケース内周面に対向して近接配置されると電波がケースで減衰し、受信感度が数デシベル劣化してしまう。このため、アンテナ等の端面を外装ケースから離して配置しなければならないが、その場合には、腕時計のように小さな外装ケース内に配置されるアンテナの場合、アンテナの長さも短くなり、アンテナ特性が低下してしまう。
一方、本発明のように、アンテナ等を外装ケースの内周面に沿って配置すれば、アンテナを外装ケース内周面に近接配置しても、コアの端面は外装ケースからある程度離すことができる。従って、外装ケースを金属製とした場合でも、アンテナの受信感度の劣化を抑えることができ、アンテナの長さもある程度確保できて、アンテナ特性の低下も防止できるとともに、時計を小型化することもできる。
その上、外装ケースを金属製にできるため、金属調の外観が得られて高級感を高めることができる。
さらに、アンテナおよびモータコイルを外装ケースに沿って配置しているので、ケース内部のムーブメント等を配置するスペースを大きく確保できるので、ケース内のスペースを有効に利用することができる。従って、時計の小型化をより促進できる。
なお、前記アンテナやモータコイルの軸方向とは、アンテナやモータコイルが直線状に形成されている場合はその長手方向であり、アンテナやモータコイルの平面形状が円弧形状とされている場合、その軸線はアンテナ等の中心軸を通る円周方向となる。
【０００９】
また、前記外装ケースの少なくとも一部は金属で構成されていることが好ましい。
外装ケースが金属製ケースで構成されていたり、プラスチック製ケースに金属製カバーを取り付けて構成されている場合のように、少なくとも一部、特に外装ケース表面に金属を用いれば、高級感の高い外観意匠のアンテナ内蔵式電子時計とすることができる。
【００１０】
さらに、前記駆動制御手段は、前記受信手段が駆動されている際に、前記モータコイルを所定の電位に固定することが好ましい。
前記受信手段が駆動されて外部無線情報を前記アンテナで受信する際にはモータが停止されるが、このモータ停止時にモータコイルを所定の電位に固定すれば、モータコイルがオープン状態になっている場合に比べて、モータコイルの状態を安定化できるため、アンテナ特性を向上することができる。
【００１１】
また、前記モータは少なくとも２つ設けられ、これらの２つのモータは、前記アンテナを挟んで配置されていることが好ましい。
例えば、時分針と、秒針とを駆動する２つのモータが設けられていたり、時刻表示用の指針とクロノグラフ用の指針とを駆動するモータがそれぞれ設けられている場合、２つのモータをアンテナを挟んで配置すれば、各モータコイルをアンテナの無給電素子として利用できる。この場合、アンテナに対して、いずれの方向から電波が鎖交しても、必ずいずれかのモータコイルを介して鎖交されることになるため、時計に対する電波の向きに関係なく、アンテナ特性を向上することができる。
なお、３つ以上のモータが設けられている場合、アンテナに隣接配置される２つのモータ以外のモータは、アンテナに隣接配置されたモータに更に隣接配置してもよい。
【００１２】
さらに、前記コアは積層アモルファス箔からなる磁性体で構成されていることが好ましい。この際、アモルファス箔の積層方向は時計の厚さ方向でもよいし、時計の平面方向（前記厚さ方向に直交する方向）でもよい。
積層アモルファス箔としては、コバルト系アモルファス金属、鉄系アモルファス金属磁性材料等の各種アモルファス金属薄板が利用できる。このような磁性体コアとして、積層アモルファス箔を用いれば、磁束が流れる方向の断面積を小さくでき、磁束変化により生じる渦電流が抑制され、鉄損を小さくできる。すると、渦電流により生じる磁界を抑制することができ、結果としてアンテナの受信感度を向上させることができる。
また、アモルファス箔の積層方向を時計の厚さ方向、つまり時計の裏蓋および表面ガラスを結ぶ方向にした場合には、アンテナの前記厚さ方向の寸法を小さくすることができる。すなわち、アモルファス箔の厚さ寸法は、通常、０．０１ｍｍ〜０．０５ｍｍ程度であり、このアモルファス箔を１０〜３０枚程度積層してアンテナが構成される。従って、コアのアモルファス積層方向の厚さ寸法は、最大でも１．５ｍｍ程度であり、従来のフェライトコアなどに比べて非常に薄くすることができる。このため、時計自体の厚さ寸法も小さくでき、薄型で高級感のある時計を提供できる。
さらに、アモルファス箔の積層方向を時計の平面方向、つまり時計の裏蓋および表面ガラスを結ぶ方向に対して直交する方向にした場合には、アンテナの前記平面方向の寸法を小さくすることができる。このため、時計内部においてアンテナが占める平面スペースを小さくでき、ムーブメント等の配置スペースを大きくすることができる。また、アンテナを外装ケース内周面に沿って平面円弧状に形成する場合、矩形状に切り出したアモルファス箔を湾曲させて積層すればよく、簡単かつ効率的に製造することができる。
【００１３】
また、本発明の時計は、電力供給用の電池を備え、前記アンテナは外装ケースの内周面の中心を挟んで前記電池の反対側に配置されていることが好ましい。
電池は、通常、ステンレス製のケースを備えて構成されており、アンテナの近傍に配置されるとアンテナ特性に影響を与える。従って、アンテナおよび電池を外装ケースの中心を挟んで配置すれば、アンテナおよび電池を離して配置でき、電池によるアンテナ特性の低下を防止できる。
【００１４】
【発明の実施の形態】
以下、本発明の実施の形態を図面に基づいて説明する。なお、以下の説明にあたって、同一構成要件については、同一符号を付し、その説明を省略もしくは簡略化する。
〔第１実施形態〕
図１には、本発明の第１実施形態に係る電子機器としての電波修正時計１の構成を示すブロック図が示されている。
本発明の電波修正時計１は、一般的な電波修正時計と同様の構成を備えるものであり、時刻情報を含む電波（外部無線情報）を受信する通信手段としての受信手段２と、駆動制御手段である駆動制御回路部３と、指針を駆動する駆動手段４と、時刻をカウントするカウンタ部６と、電力を供給する電力供給手段７と、リュウズなどの外部入力装置８とを備えて構成されている。
【００１５】
受信手段２は、電波を受けるアンテナ２１と、コンデンサ等で構成されてアンテナ２１で受信する電波に同調させる同調回路部２２と、アンテナ２１で受けた情報を処理する受信回路２３と、受信回路２３で処理された時刻データを記憶する時刻データ記憶回路部２４とを備えて構成されている。
アンテナ２１は、図２に示すように、磁性体コア２１１にコイル２１２を巻いて構成されており、必要に応じて、耐食性に優れるカチオン電着塗装等で絶縁を施したものである。
【００１６】
磁性体コア２１１は、例えば、コバルト系のアモルファス箔（例；Ｃｏ５０ｗｔ％以上のアモルファス箔）を型で打ち抜くか、エッチングで成形したものを１０〜３０枚程接着して重ね合わせ、焼鈍等の熱処理を行って磁気特性を安定化させたものである。すなわち、磁性体コア２１１は、平面円弧状のアモルファス箔を時計の厚み方向に積層して構成されている。なお、磁性体コアとしては、積層アモルファス箔に限定されず、フェライトを用いてもよく、この場合には、型等で成形し、熱処理して製造すればよい。
ここで、磁性体コア２１１の各アモルファス箔は、厚さ寸法が０．０１ｍｍ〜０．０５ｍｍ程度であるため、例えば３０枚積層した場合、磁性体コア２１１の積層方向の厚さ寸法は０．３〜１．５ｍｍ程度である。アモルファス材はフェライトに比べて磁気特性が良いため、より小型・薄型のアンテナ２１を実現できる。そして、アンテナ特性は、コアの体積によって影響されるため、アンテナを薄くする分、アンテナ特性を維持するには、アンテナの平面積を大きくするか、アンテナ長さ（コア長さ）を長くする必要がある。従って、本実施形態では、磁性体コア２１１の幅寸法は例えば０．５〜３．０ｍｍ程度であり、長さは１５〜３０ｍｍ程度とされている。なお、アモルファス金属板の厚みが０．０５ｍｍより厚くなると、板圧中央部は迅速な冷却を行うことが困難なため、金属はアモルファス化させることなく結晶化されてしまう。すなわち、アモルファス金属を製造するには、金属が結晶化される以前に、迅速な冷却作業を行う必要があり、そのためには、金属の厚みを薄くしなくてはならない。また、アモルファス金属板の厚みが０．０１ｍｍより薄くなると、組立作業等において、アモルファス金属板の強度が弱くなって変形しやすくなるので、部品の位置決め作業や部品の取扱作業等が非常にやりにくくなる。
【００１７】
コイル２１２は、長波標準電波（４０〜７７．５ｋＨｚ）を受信する場合は、１０ｍＨ程度のインダクタンス値が必要となる。このため、本実施形態では、コイル２１２として直径０．１μｍ程度のウレメット線を数百ターンほど巻いて構成している。なお、本実施形態では、コイル２１２の巻き作業を容易にし、端部の巻きくずれを防止するため、コイル２１２をコア２１１の端面２１１Ｂまで巻くのではなく、コア２１１の端面２１１Ｂから所定寸法（通常は数ミリ）離した位置まで巻いている。従って、コア２１１の端部２１１Ａには、コイル２１２が巻かれていない部分が存在することになる。
また、コイル２１２の巻き方としては、特に限定されず、乱巻きなどでもよいが、特に整列巻きが好ましい。整列巻きを採用すれば、コイル線材間の無駄な空間が無くなり、同じインダクタンス値を得るためのコイル体積を小さくできる。なお、本実施形態では、コア２１１が平面円弧状であるため、次のようにしてアンテナ２１を製造している。まず、ボビンに自己融着電線のコイル２１２を巻いた後、熱もしくは溶液に浸してコイル２１２を固める。コイル２１２が固まった後、ボビンを引き抜き、ボビンを引き抜くことで形成されたコイル２１２の貫通孔部分に前記磁性体コア２１１を挿入してアンテナ２１を完成させている。なお、コイルを巻いたボビンにコアを挿入してアンテナを構成してもよい。この場合、ボビンが存在する分、サイズが大きくなるが、アンテナを容易に製造できる。
【００１８】
同調回路部２２は、図３に示されるように、アンテナ２１に対して並列に接続された２つのコンデンサ２２Ａ，２２Ｂを備えて構成され、一方のコンデンサ２２Ｂはスイッチ２２Ｃを介してアンテナ２１に接続されている。
そして、駆動制御回路部３から出力される周波数切替え制御信号により、前記スイッチ２２Ｃをオンまたはオフすることで、アンテナ２１で受信する電波の周波数を切り替えるように構成されている。これにより、例えば、日本国内において、送信周波数４０ｋＨｚのおおたかどや山（東日本）の標準電波出力局と、送信周波数６０ｋＨｚのはがね山（西日本）の標準電波出力局とから出力されている２種類の周波数の長波標準電波を切り替えて受信することができるように構成されている。
【００１９】
受信回路２３は、図３に示されるように、アンテナ２１によって受信された長波標準電波信号を増幅する増幅回路２３１と、増幅された長波標準電波信号から所望の周波数成分のみを抜き出すバンドパスフィルタ２３２と、長波標準電波信号を平滑化し復調する復調回路２３３と、増幅回路２３１のゲインコントロールを行ない長波標準電波信号の受信レベルが一定になるように制御するＡＧＣ（Ａｕｔｏｍａｔｉｃ  Ｇａｉｎ  Ｃｏｎｔｒｏｌ）回路２３４と、復調された長波標準電波信号をデコードして出力するデコード回路２３５とを備えて構成されている。
受信回路２３で受信され信号処理された時刻データは、図１に示すように、時刻データ記憶回路部２４に出力されて記憶される。
受信回路２３は、予め設定されたスケジュールや外部入力装置８による強制受信操作等によって、駆動制御回路部３から出力される受信制御信号に基づいて時刻情報の受信を開始する。
【００２０】
駆動制御回路部３は、図１に示されるように、パルス合成回路３１からのパルス信号が入力される。パルス合成回路３１は、水晶振動子などの基準振動子３１１からの基準パルスを分周してクロックパルスを生成し、また、基準パルスからパルス幅やタイミングの異なるパルス信号を発生させる。
【００２１】
駆動制御回路部３は、一秒に一回出力され秒針を駆動させる秒駆動パルス信号ＰＳ１と、一分間に一回出力され時分針を駆動させる時分駆動パルス信号ＰＳ２とを、各秒駆動回路４１、時分駆動回路４２に出力して、指針の駆動を制御する。すなわち、各駆動回路４１，４２は、各回路４１、４２からのパルス信号によって駆動されるステッピングモータからなる秒モータ４１１，時分モータ４２１を駆動し、これにより各モータ４１１，４２１に接続された秒針と、分針および時針とを駆動する。そして、各指針、モータ４１１，４２１、駆動回路４１，４２によって時刻を表示する時刻表示手段が構成されている。なお、時刻表示手段としては、１つのモータで、時針、分針、秒針を駆動するものでもよい。
【００２２】
カウンタ部６は、秒をカウントする秒カウンタ回路部６１と、時分をカウントする時分カウンタ回路部６２とを備えて構成されている。
秒カウンタ回路部６１は、秒位置カウンタ６１１と、秒時刻カウンタ６１２と、一致検出回路６１３とを備えて構成されている。秒位置カウンタ６１１および秒時刻カウンタ６１２はともに６０カウント、つまり１Ｈｚの信号が入力された場合には６０秒でループするカウンタである。秒位置カウンタ６１１は、駆動制御回路部３から秒駆動回路４１に供給される駆動パルス信号（秒駆動パルス信号ＰＳ１）をカウントしている。つまり、秒針を駆動させる駆動パルス信号をカウントすることによって、秒針が示している秒針の位置をカウントしている。
秒時刻カウンタ６１２は、通常は、駆動制御回路部３から出力される１Ｈｚの基準パルス信号（クロックパルス）をカウントする。また、受信手段２で時刻データを受信した場合には、この時刻データのうちの秒データに合わせてカウンタ値が修正される。
【００２３】
同様に、時分カウンタ回路部６２は、時分位置カウンタ６２１と、時分時刻カウンタ６２２と、一致検出回路６２３とを備えて構成されている。時分位置カウンタ６２１および時分時刻カウンタ６２２はともに２４時間分の信号が入力されるとループするカウンタである。時分位置カウンタ６２１は、駆動制御回路部３から時分駆動回路４２に供給される駆動パルス信号（時分駆動パルス信号ＰＳ２）をカウントし、時針、分針が示している時分針の位置をカウントしている。
時分時刻カウンタ６２２は、通常は、駆動制御回路部３から出力される１Ｈｚのパルス（クロックパルス）をカウントする（正確には１Ｈｚを６０回計数したところで１カウントとする）。また、受信手段２で時刻データを受信した場合には、この時刻データのうちの時分データに合わせてカウンタ値が修正される。
【００２４】
各一致検出回路６１３，６２３は、各位置カウンタ６１１，６２１と各時刻カウンタ６１２，６２２とのカウント値の一致を検出し、一致しているか否かを示す検出信号を駆動制御回路部３に出力する。
駆動制御回路部３は、各一致検出回路６１３，６２３から不一致信号が入力されると、一致信号が入力されるまで各駆動パルス信号ＰＳ１，ＰＳ２を出力し続ける。このため、通常運針時は、駆動制御回路部３から１Ｈｚの基準信号によって各時刻カウンタ６１２，６２２のカウンタ値が変化して位置カウンタ６１１，６２１と不一致となると、各駆動パルス信号ＰＳ１，ＰＳ２が出力されて各指針が動くとともに、各位置カウンタ６１１，６２１が時刻カウンタ６１２，６２２と一致することになり、この動作を繰り返すことで、通常の運針制御が行われる。
また、受信した時刻データで各時刻カウンタ６１２，６２２が修正されると、そのカウンタ値に各位置カウンタ６１１，６２１のカウンタ値が一致するまで、各駆動パルス信号ＰＳ１，ＰＳ２が出力され続け、指針が早送りされて正しい時刻に修正される。
【００２５】
電力供給手段７は、自動巻発電機や太陽電池（ソーラー発電機）等によって構成された発電手段としての発電装置７１と、発電装置７１で発電された電力を蓄電する高容量二次電源７２とを備えて構成されている。高容量二次電源７２は、リチウムイオン電池のような二次電池が利用できる。なお、電力供給手段７としては、銀電池等の一次電池を用いてもよい。
外部入力手段としての外部入力装置８は、リュウズ等を備え、受信動作や時刻合わせなどを行うために利用される。
【００２６】
次に、電波修正時計１の具体的構造について説明する。
電波修正時計１は、図４，５にも示すように、約リング状に形成されたケーシング（胴）９１と、ケーシング９１の表面側に装着されたカバーガラス９２と、ケーシング９１の裏面側に着脱可能に取り付けられた裏蓋９３とを備えている。ケーシング９１は、ステンレス鋼、真鍮、チタン等の金属材で構成されている。従って、ケーシング９１によって、本実施形態における金属製の外装ケース（時計ケース）９が構成されている。外装ケース９内には、アンテナ２１を含む前記各構成が組み込まれている。
すなわち、駆動制御回路部３およびカウンタ部６を構成する受信ＩＣ８１、ＣＰＵ８２、基準振動子３１１等が取り付けられた回路基板や、駆動手段４を構成するモータ４１１，４２１や輪列４０等が組み込まれた時計体（ムーブメント）９８、電力供給手段７を構成する高容量二次電源（二次電池）７２、時計体の表面側に設けられた文字板９５や地板９６等の各構成部材が組み込まれている。
なお、アンテナ２１は熱可塑性樹脂（ホットメルト）、紫外線硬化型エポキシ等を用いて地板９６に固定されている。また、アンテナ２１の緩衝材としての機能を持たせるため、弾性のあるシーリング材を利用して固定してもよい。
【００２７】
ここで、アンテナ２１と受信ＩＣ８１とは２本の配線で接続されている。すなわち、コイル２１２をアンテナ端部から取り出して回路基板８０にはんだ付けすることにより、アンテナ２１と受信ＩＣ８１とは電気的に接続されている。なお、前記電気的接続は、アンテナ２１にポリイミド等からなるフレキシブル基板を取り付け、この基板を回路基板にネジ留めすることなどで行ってもよい。
また、文字板９５は、黄銅（真鍮、Ｂｓ）、洋白（洋銀、ＮＳ）等の金属で製造されたものを用いることもできるが、プラスチックやセラミックなどの非導電性部材（電気絶縁体）、つまり標準電波を通し易い材質のもので構成されていることが好ましい。
裏蓋９３は、ケーシング９１と同様な金属材で構成してもよいが、プラスチックやガラス等の非導電性部材（電気絶縁体）、つまり電波を通し易い材質で構成されていることが好ましい。
【００２８】
ケーシング９１の対向する２カ所、通常は文字板９５における１２時方向および６時方向には、時計バンドを連結するための連結用突片（カン）９４がそれぞれ突設されている。このケーシング９１に取り付けられる時計バンド９７は、複数の駒部材をピン（バネ棒等）で互いに回動可能に連結することで構成されている。そして、端部の駒部材もケーシング９１にピンで回動可能に連結されている。
【００２９】
アンテナ２１は、ケーシング９１つまり外装ケース９の円周状の内周面９１Ａに沿って配置されている。すなわち、図４に示すように、アンテナ２１の磁性体コア２１１の平面形状は、内周面９１Ａと略同心円の円弧状に形成され、コイル２１２は磁性体コア２１１に巻かれることで平面略円弧状に構成されている。
ここで、コイル２１２の両端部２１１Ａの端面と内周面９１Ａの中心点Ｏとを結ぶ線分の交差角度θ１は略５０〜６０度とされている。
また、アンテナ２１は、外装ケース９の中心点Ｏに対して９時方向に配置されている。一方、高容量二次電源（二次電池）７２は、前記中心点Ｏに対し略４時方向に配置されている。従って、アンテナ２１および二次電池７２は、中心点Ｏを挟んで互いに略反対側に配置され、比較的離れて配置されている。また、基準振動子３１１も略１時方向に配置され、受信ＩＣ８１等と比べてアンテナ２１から離れて配置されている。なお、アンテナ２１とムーブメント９８との間には、緩衝材として、図示しないプラスチック製円板からなるスペーサが設けられている。
【００３０】
アンテナ２１で長波標準電波等の電波を受信するときは、図６にも示すように、電波の一部である磁界成分は、アンテナ２１のコア２１１を、その一方の端部２１１Ａから他方の端部２１１Ａへと通過する。すると、コア２１１に巻回されたコイル２１２に交流電流が誘導され、これに伴ってコイル２１２の両端に交流電圧が発生する。そして、この交流電圧がアナログ受信信号として受信回路２３に流れる。
そして、このアナログ受信信号を受信回路２３で増幅、復調、デコード等の処理をしてデジタルの時刻データとし、時刻データ記憶回路部２４に記憶している。すなわち、アンテナ２１は、コア２１１の各端部２１１Ａを結ぶ延長線方向（コア２１１やコイル２１２の軸方向）の磁界に反応する指向性を有している。従って、コア２１１やコイル２１２の軸方向に、無給電素子となる各モータ４１１，４２１が隣接して配置されていると、アンテナ２１の磁束量が増えてアンテナ特性を向上することができる。
なお、コア２１１の端部２１１Ａと二次電池７２や基準振動子３１１までの距離は、前記各モータ４１１，４２１までの距離よりも大きくされ、二次電池７２や基準振動子３１１が鎖交磁界に影響しないようにされている。すなわち、二次電池７２はステンレス等の金属製ケースを備えているため、コア２１１に近接して配置されると鎖交磁界に影響を与える。一方、基準振動子３１１は、３２．７６８ｋＨｚの水晶振動子が利用されており、この振動周波数が長波受信周波数（４０ｋＨｚ）に近いため、基準振動子３１１がアンテナ２１に近接して配置されると、アンテナ２１にノイズとして信号が混入する可能性がある。従って、二次電池７２や基準振動子３１１は、コア２１１に対し、各モータ４１１，４２１よりも離して配置されている。
【００３１】
次に、各モータ４１１，４２１および各駆動回路４１，４２の具体的構成に関して説明する。なお、各駆動回路４１，４２の構成は、基本的には同じであるため、秒モータ４１１の駆動回路４１を例示して説明する。
秒モータ４１１および時分モータ４２１は、パルス信号によって駆動されるステッピングモータで構成されている。具体的には、図４に示すように、駆動回路４１，４２から供給される駆動パルスによって磁力を発生する駆動コイル４１２，４２２と、この駆動コイル４１２，４２２によって励磁されるステータ４１３，４２３と、ステータ４１３，４２３の内部において励磁される磁界により回転するロータ４１４，４２４と、前記駆動コイル４１２，４２２内に挿通されて前記ステータ４１３，４２３に接続されたコア４１５，４２５とを備えている。
【００３２】
秒モータ４１１のロータ４１４の回転は、かなを介してロータ４１４に噛合された五番車、四番車等からなる輪列４０Ａによって秒針に伝達される。一方、時分モータ４２１のロータ４２４の回転は、三番車、二番車、日の裏車、筒車等からなる輪列４０Ｂによって分針、時針に伝達されている。
【００３３】
各駆動回路４１，４２は、図７に示すように、直列に接続されたｐチャンネルＭＯＳ４３ＡおよびｎチャンネルＭＯＳ４４Ａと、直列に接続されたｐチャンネルＭＯＳ４３ＢおよびｎチャンネルＭＯＳ４Ｂとによって構成されたブリッジ回路を備えている。
また、駆動回路４１，４２は、ｐチャンネルＭＯＳ４３Ａ，４３Ｂとそれぞれ並列に接続された回転検出用抵抗４５Ａ，４５Ｂと、これらの抵抗４５Ａ，４５Ｂにチョッパパルスを供給するためのサンプリング用のｐチャンネルＭＯＳ４６Ａ，４６Ｂとを備えている。従って、これらのＭＯＳ４３Ａ，４３Ｂ，４４Ａ，４４Ｂ，４６Ａ，４６Ｂの各ゲート電極に駆動制御回路部３からそれぞれのタイミングで所定の極性およびパルス幅の制御パルスを印加することにより、駆動コイル４１２に極性の異なる駆動パルスを供給したり、あるいは、ロータ４１４の回転検出用や磁界検出用の誘起電圧を励起する検出用のパルスを供給することができるようになっている。
【００３４】
ここで、各モータ４１１，４２１のモータコイル４１２，４２２は、図８に示すように、前記アンテナ２１の軸方向に隣接し、かつ、モータコイル４１２，４２２の軸方向がアンテナ２１の軸方向にほぼ沿って配置されている。より具体的には、アンテナ２１のコア２１１における軸線つまりコア２１１の幅方向中心を通る円弧状の軸線と、モータコイル４１２，４２２の軸線との交差角度θ２は、所定角度以下、例えば４５度以下とされている。なお、円弧状の軸線と直線状の軸線との交差角度θ２は、円弧状の軸線および直線状の軸線の交点における前記円弧の接線Ｌ１と、直線状の軸線Ｌ２との交差角度θ２で表される。
また、図５に示すように、各モータ４１１，４２１の高さ位置は、アンテナ２１の高さ位置と略同じ位置に配置されている。なお、モータ４１１，４２１の駆動コイル４１２，４２２の厚さ寸法はアンテナコイル２１２の厚さ寸法よりも小さいため、本実施形態ではアンテナ２１の高さ寸法内にモータ４１１，４２１が納まるように配置されている。
【００３５】
このような構成による電波修正時計１の動作を説明する。
まず、通常時の時刻表示について説明する。通常は、駆動制御回路部３は、パルス合成回路３１から入力されるパルス信号（基準信号）を利用し、１Ｈｚのパルス信号を送って秒時刻カウンタ６１２のカウンタ値をカウントアップする。秒時刻カウンタ６１２がカウントアップして秒位置カウンタ６１１のカウンタ値と異なると、一致検出回路６１３はその不一致を検出して駆動制御回路部３に不一致信号を出力する。駆動制御回路部３は、その不一致信号に基づいて、秒駆動パルス信号ＰＳ１を出力する。この秒駆動パルス信号ＰＳ１の出力により、秒位置カウンタ６１１がカウントアップされるとともに、秒駆動回路４１の各ＭＯＳ４３Ａ，４３Ｂ，４４Ａ，４４Ｂが適宜オン、オフされることで秒モータ４１１が駆動され、秒針が駆動される。以上の処理は一致検出回路６１３で各カウンタ６１１，６１２の値が一致するまで行われる。従って、通常運針時は、秒時刻カウンタ６１２に１Ｈｚが入力されてカウンタ値が「１」カウントアップされる毎に、秒駆動パルス信号ＰＳ１が１つ出力され、秒針が１秒分毎ステップ運針される。
時分についても同様に、時分時刻カウンタ６２２でカウントされるカウント値に時分位置カウンタ６２１のカウント値を一致させるように駆動制御回路部３から時分駆動パルス信号ＰＳ２が出力され、時分駆動パルス信号ＰＳ２に応じて時分駆動回路４２から時分モータ４２１にパルス信号が出力され時針、分針が駆動される。
【００３６】
次に、時刻情報を受信する場合の動作について説明する。
駆動制御回路部３は、設定された受信開始時間になると、図９に示すように、受信制御信号をオン（Ｈレベル信号）に切り替えて受信回路２３を作動させる。同時に、駆動制御回路部３は、１秒ごとに出力していたモータ駆動用パルスの出力は停止する一方で、所定のパルス信号を秒駆動回路４１および時分駆動回路４２に出力し、各ＭＯＳ４３Ａ，４３Ｂをオンして駆動コイル４１２の両端を電位ＶＤＤに接続してショート状態する。なお、本実施形態では、電位ＶＤＤ（高電圧側）を基準電位（ＧＮＤ）に取り、ＶＳＳ（低電圧側）を電源電圧として生成している。
【００３７】
駆動制御回路部３は、各モータ４１１，４２１の駆動コイル４１２をショート状態にした後、受信回路２３を駆動して時刻情報の受信を開始する。なお、外部入力装置８による受信動作開始の操作によって強制的に開始（強制受信）させることも可能であるが、この場合も外部入力装置８によって受信動作が指示されると、駆動制御回路部３はまず駆動コイル４１２をショートしてその電圧を所定電位（例えばＶＤＤ）に固定した後、受信回路２３を駆動して時刻情報の受信を開始する。
受信回路２３が作動されると、アンテナ２１を介して受信された電波（時刻情報）は受信回路２３で処理されたのち、記憶回路部２４に記憶される。このとき、受信した時刻データが正しいか否かの検証も合わせて行われる。具体的には、長波標準電波の時刻情報は１分毎のデータとなるため、受信した複数の時刻データが１分間隔の異なるデータになっているか等で判断される。
受信された時刻情報が正しいデータと判断されると、駆動制御回路部３の指示によって、時刻データは秒時刻カウンタ６１２と時分時刻カウンタ６２２に出力され、秒時刻カウンタ６１２と時分時刻カウンタ６２２のカウント値が修正される。この際、駆動コイル４１２のショート状態も解除される。
そして、各時刻カウンタ６１２，６２２のカウント値が修正された結果、各位置カウンタ６１１，６２１と異なる値になると、それらのカウント値が一致するまで各一致検出回路６１３，６２３の不一致信号を受けて、駆動制御回路部３は、各駆動パルス信号ＰＳ１、ＰＳ２を出力し、各指針を駆動する。この指針の駆動は、各カウンタ値が一致するまで早送りで継続されるため、受信時刻に合わせて指針位置が自動的に修正され、時刻合わせが行われる。
【００３８】
前述の本実施形態によれば、次のような効果が得られる。
（１）アンテナ２１に隣接してモータ４１１，４２１のモータコイル４１２，４２２を配置し、かつ、駆動制御回路部３により、受信回路２３の駆動時つまり電波受信時にはモータ４１１，４２１を停止するように構成したので、各モータコイル４１２，４２２を、アンテナ２１の無給電素子として利用できる。このため、アンテナ２１を鎖交する電波の磁界の磁束量を、無給電素子である各モータコイル４１２，４２２を通すことで高めることができ、その分、アンテナ２１の特性を向上できる。
【００３９】
（２）駆動制御回路部３により受信回路２３の駆動時に、前記モータコイル４１２，４２２を所定の電位（ＶＳＳ）に固定して安定化させているので、オープン状態となっている場合に比べて、アンテナ特性をより一層向上することができる。
【００４０】
（３）アンテナ２１およびモータコイル４１２，４２２を、外装ケース９の内周面９１Ａに沿って配置しているので、アンテナ２１やモータコイル４１２，４２２において電波が鎖交する端面と、この端面に対向する位置にある内周面９１Ａとの間隔を比較的大きくすることができる。このため、モータコイル４１２，４２２やコイル２１２を鎖交する標準電波の磁界が外装ケース９によって妨げられることが少なくなり、金属製の外装ケース９を用いた場合でも、アンテナ特性の低下を抑えることができる。
従って、金属製のケース９を用いても外部無線情報を受信することができるため、ケースをプラスチック等で構成した場合に比べて高級感の高い外観意匠が得られ、これによりデザイン上の制約も少ない電波修正時計１を提供することができる。その上、外装ケース９に切欠部を形成したり、外装ケースをプラスチックと金属の２重ケースにする必要がないため、製造コストも低減できる。さらに、アンテナ２１を内周面９１Ａに近接して配置できるので、アンテナ２１の長さもある程度確保できて、アンテナ特性の低下も防止できるとともに、時計１を小型化することもできる。
【００４１】
（３）アンテナ２１の軸線と、アンテナ２１に隣接して配置されるモータコイル４１２，４２２の軸線との交差角度θ２を４５度以下と小さくしたので、モータコイル４１２，４２２およびアンテナ２１間で磁束をスムーズに鎖交させることができ、その分、アンテナ特性を向上することができる。
【００４２】
（４）２つのモータコイル４１２，４２２をアンテナ２１を挟んで配置したので、一方のモータコイル４１２からアンテナ２１を介してモータコイル４２２に磁束が流れる場合、および、他方のモータコイル４２２からアンテナ２１を介してモータコイル４１２に磁束が流れる場合のいずれの場合も、電波はモータコイル４１２，４２２を介してアンテナ２１を鎖交するため、電波の向きに関係なく、アンテナ特性を向上することができる。
【００４３】
（５）アンテナ２１を高容量二次電源（二次電池）７２から離して配置しているので、金属ケースを有する電池７２がアンテナ特性に影響を与えることを減少でき、アンテナ特性の低下をより一層抑えることができる。
また、アンテナ２１を基準振動子３１１からも離して配置しているので、基準振動子３１１の信号が受信信号にノイズとして混入することを防止でき、アンテナ特性の低下をより一層抑えることができる。
【００４４】
（６）アンテナ２１を平面円弧状に形成したので、アンテナ２１をその全長に渡ってケース内周面９１Ａに沿って配置できる。このため、内周面９１Ａとアンテナ２１との間の隙間を非常に小さくできてケース９内部のデッドスペースを無くすことができ、ケース９の内部空間を有効に利用することができる。このため、外装ケース９の小型化を可能とし、例えば、男性用の腕時計に比べて小さい女性用の腕時計においてもアンテナ２１を内蔵させることができる。
その上、アンテナ２１および各モータ４１１，４２１を隣接配置し、かつ、内周面９１Ａに沿って配置しているため、ケース９の内部に配置される輪列４０、電池７２、ＩＣ８１，８２等の配置スペースを十分に確保でき、レイアウトの自由度も高めることができる。
【００４５】
（７）アンテナ２１のコイル２１２は、その中心角が５０度以上となるように構成されているので、コイル２１２の長さ（アンテナ長）を１４〜１５ｍｍ程度以上にすることができ、標準電波を受信することができる。すなわち、腕時計における外装ケース内周面の直径は、通常、３０〜３２ｍｍ程度である。従って、前記コイルが平面円弧状あるいは円弧状に近い平面多角形のコアに巻かれている場合、そのコイルの長さ（アンテナ長さ）は、円弧の半径（約１５〜１６ｍｍ）×中心角（５５度であれば、５５／１８０×π）で計算でき、約１４〜１５ｍｍ程度となる。長波標準電波（４０〜７７．５ＫＨｚ）を受信する場合、アンテナ長は１５ｍｍ程度あれば良いので、前記交差角度が５０度以上であれば、長波標準電波を受信するアンテナとして利用でき、電波修正時計を構成することができる。
【００４６】
（８）外装ケース９をプラスチック等の金属材以外で構成する場合、必要な強度を確保するために、肉厚にしたり補強リブを設けるなど、ケース９の製造に工夫を要するが、本実施形態では金属製のケース９を用いているので、プラスチック製の場合と同じ肉厚にした場合には、より強度の高いケース９にできたり、同じ強度を確保するために必要なケース９の肉厚寸法を小さくすることができる。
【００４７】
（９）アモルファス箔の積層方向を時計１の厚さ方向、つまり時計の裏蓋９３および表面ガラス９２を結ぶ方向にしているので、アンテナ２１の厚さ寸法を、フェライトコア等を用いた場合に比べて非常に小さくすることができる。このため、時計１自体の厚さ寸法も小さくでき、薄型で高級感のある時計１を提供できる。
また、アンテナ２１は磁性体コア２１１が挿入されているので、アンテナ２１の指向性をよりシャープにでき、アンテナ特性を向上できる。
【００４８】
〔第２実施形態〕
次に、本発明の第２実施形態について説明する。第２実施形態は、１つのモータコイルのみをアンテナ２１に隣接させていることが前記第１実施形態と相違するものであるため、その部分のみを説明する。なお、以下の各実施形態において、前述した各実施形態と同一または同様の構成部分には同一符号を付し、説明を省略または簡略する。
第２実施形態では、図１０に示すように、アンテナ２１の両端のうちの一方の端部のみに隣接してモータコイル４３１を配置している。なお、アンテナ２１の軸線およびモータコイル４３１の軸線の交差角度は前記実施形態と同様に４５度以下とされている。
この第２実施形態においても、前記第１実施形態と同様の作用効果を奏することができる。
【００４９】
〔第３実施形態〕
次に、第３実施形態について説明する。第３実施形態は、アンテナの平面形状が前記第１，２実施形態と相違するものであるため、その部分のみを説明する。第３実施形態のアンテナ５１の磁性体コア５１１は、図１１に示すように、各端部５１１Ａと、各端部５１１Ａ間を連結する中間部５１１Ｂとを備えている。ここで、各端部５１１Ａおよび中間部５１１Ｂは平面円弧状ではなく、直線状に形成されている。
ここで、コイル５１２の両端部と内周面９１Ａの中心点Ｏとを結ぶ線分の交差角度θ３は１０５度程度であり、前記各実施形態と同様に５０度以上とされている。また、コア５１１の端部５１１Ａの軸線Ｌ１と、端部５１１Ａに隣接して配置されたモータコイル４３１の軸線Ｌ２との交差角度θ３は約４５度、つまり４５度以下とされている。これらのアンテナ５１およびモータコイル４３１は、外装ケース９の内周面９１Ａに沿って配置されている。
なお、図１１では、１つのモータコイル４３１のみがアンテナ５１に隣接配置されているが、第１実施形態と同様に２つのモータコイルをアンテナ５１を挟んで隣接配置してもよい。
【００５０】
この第３実施形態においても、前記第１実施形態と同様の作用効果を奏することができる。
さらに、（１０）アンテナ５１を平面円弧形状ではなく、多角形状に構成したので、コア５１１をアモルファス板から切り出して形成する作業や、コイル５１２の巻線作業を、円弧形状のコア２１１を用いた場合に比べてより容易に行うことができ、アンテナ５１の製造作業性を向上できる。
【００５１】
なお、本発明は、前記各実施形態に限定されるものではない。
すなわち、本発明は、主に特定の実施の形態に関して特に図示され、かつ、説明されているが、以上述べた実施の形態に対し、本発明の技術的思想および目的の範囲から逸脱することなく、形状、材質、数量、その他の詳細な構成において、当業者が様々な変形を加えることができる。
例えば、アンテナの構成としては、前記各実施形態のものに限らず、例えば、第３実施形態のコア５１１の中間部５１１Ｂを複数の直線部で構成し、このコア５１１にコイル５１２を巻き付けた平面多角形状のアンテナを用いてもよい。このアンテナは、前記第３実施形態のアンテナ５１と同様に、コアの切り出しやコイルの巻線作業を容易にできる上、前記アンテナ５１に比べてより円弧形状に近くなるため、アンテナとケース内周面９１Ａ間のデッドスペースを前記アンテナ５１に比べて小さくでき、スペース効率を向上できる。
さらに、コアの中間部を円弧状に形成し、両端部を直線状に構成したアンテナを用いてもよい。
また、アンテナとしては、平面直線状（棒状）のコアを有するアンテナでもよい。但し、前記各実施形態のように、平面円弧状等としたほうが、ケース内周面９１Ａに沿って配置できてムーブメント９８の配置スペースを確保できる点で有利である。
【００５２】
また、アンテナのコアは全長に渡って同じ幅寸法で構成されているものに限らず、コイルが巻かれない両端部の幅寸法を、コイルが巻かれる部分に比べて大きく形成してもよい。このようにコア両端部の幅寸法を大きくすれば、コイルが巻かれた部分の厚さ寸法を変えることなく、コアの体積を大きくすることができ、アンテナを大きくすることなく、アンテナ特性を向上することができる。
なお、この場合、コアのコイルを巻く部分には、２０〜３０μｍ程度の厚みの絶縁テープを巻いておくことが好ましい。この絶縁テープを巻いておけば、コイルとコアとを確実に絶縁でき、かつ、コアが断面矩形状に形成されている場合に、巻線がコアの角のエッジで切れることを防止できる。また、コアの段部つまりコイルが巻かれる部分の端部には、ポリエステル等でできた略Ｕ字型の巻き枠をセットすれば、コイルを容易に巻くことができるとともに、コイル端部の巻きくずれを防ぐことができる。
【００５３】
また、アンテナの配置位置は、前記第１実施形態のようなケース９内において時計の９時方向に限らず、時計の９時方向や、６時方向、３時方向などの他の位置でもよい。但し、３時方向には通常、りゅうずの巻真やボタンの軸等が設けられ、これらと干渉しないようにアンテナを配置しなければならないため、他の６，９，１２時方向に配置することが好ましい。特に、２時および４時にボタンが配置されている場合には、アンテナを１２時方向や６時方向に配置すると、アンテナやモータコイルがボタンの軸に干渉しないように、アンテナの長さが制限されるおそれがあるため、アンテナを９時方向に配置することが最も好ましい。
【００５４】
また、モータコイルは、アンテナの軸先方向に隣接しかつ各軸線の交差角度が所定角度以下に配置されていることが好ましい。ここで、所定角度としては、アンテナおよびコイルの各コア端面間の距離等によって設定され、要するに、電波受信時にアンテナコイルおよびモータコイル間で磁気的に結合可能な角度に設定されていればよい。例えば、各コア端面間の距離が短ければ交差角度が比較的大きくても、例えば交差角度が５０度前後でも磁気的結合が可能となるが、各コア端面間の距離が長いと磁気的結合が難しくなるため、交差角度を比較的小さくしなければならない。なお、通常の腕時計では、各コア端面間の距離は約５ｍｍ以下程度に設定でき、この場合の前記交差角度は約４５度以下とすればよい。
すなわち、モータコイルを無給電素子として利用する場合には、モータコイルの軸線とアンテナの軸線との交差角度が大きいと、モータコイルを流れる磁束は大きく方向を変えなければアンテナ内を鎖交できない。これに対し、モータコイルおよびアンテナの各軸方向に沿った線分の交差角度を所定角度、例えば４５度以下と小さくすれば、モータコイルからアンテナにスムーズに磁束を流すことができ、その分、アンテナ特性を向上することができる。
従って、交差角度を約３０度以下程度とより一層小さくすれば、電波の磁束がスムーズに流れてアンテナ特性を向上できる点でより好ましい。なお、アンテナの軸線と、モータコイルの軸線との交差角度が所定角度以下と小さいことは、アンテナの軸線方向（軸方向）にモータコイルの軸線方向（軸方向）が略沿っていると表現することもできる。
また、各軸線の交差角度が所定角度以下で配置されているとは、図８に示すように、時計の平面方向の交差角度が所定角度以下の場合に限らず、時計の断面方向（前記平面方向に直交する方向）の交差角度が所定角度以下の場合も含み、さらには、平面方向および断面方向の各交差角度がそれぞれ所定角度以下の場合も含むものである。
【００５５】
また、アンテナコイル２１２の端面を軸方向に延長した領域内に、前記モータコイル４１２，４２２のアンテナ側の端面の少なくとも一部が配置されていることが好ましい。すなわち、図８に示すように、アンテナコイル２１２を平面的に見た場合、つまりアンテナ２１を時計表面から見た場合に、アンテナコイル２１２の外周側の外形形状の延長線と、内周側の外形形状の延長線とで区画形成される幅領域内にモータコイル４１２，４２２のアンテナ２１側の端面の少なくとも一部が配置されるとともに、アンテナコイル２１２を断面的に見た場合、つまりアンテナ２１を時計側面から見た場合に、アンテナコイル２１２の上面側の外形形状の延長線と、下面側の外形形状の延長線とで区画形成される幅領域内にモータコイル４１２，４２２のアンテナ２１側の端面の少なくとも一部が配置されていることが好ましい。
このような位置関係でアンテナ２１およびモータ４１１，４２１を配置すれば、アンテナコイル２１２およびモータコイル４１２，４２２間を磁気的に結合し易くすることができる。
この際、特に、モータコイル４１２，４２２のアンテナ２１側の端面全体を前記幅領域内に配置すれば、その分、アンテナコイル２１２とモータコイル４１２，４２２との磁気的結合が強固になり、アンテナ特性を向上できる。
なお、アンテナ２１とモータコイル４１２，４２２との交差角度を５度以下程度と非常に小さくして、モータコイル４１２，４２２のアンテナ２１側端面だけでなく、モータコイル４１２，４２２全体を前記幅領域内に配置すれば、アンテナ特性をより一層向上できる。
【００５６】
また、本発明の時計１における外装ケース９は、金属製のものに限らず、例えば、図１２に示すように、プラスチックケース１１０の表面にステンレスやチタン等の金属製カバー１１１を取り付けて構成されたものでもよい。さらに、外装ケース９は、合成樹脂やセラミックなどの非導電性材料で構成してもよく、さらにはこれらプラスチック等にメタリック塗装などの表面処理を施して金属層を形成したもので構成してもよい。但し、外装ケースの少なくとも一部を金属製としたほうが高級感のある外観とすることができる利点がある。
さらに、裏蓋９３も金属製のものに限らず、例えば、図１２に示すように、金属製の外周リング９３Ａ内にガラス板９３Ｂを嵌め込んだものを用いてもよい。裏蓋９３の一部をガラス製にすれば、電波がガラス板９３Ｂ部分から外装ケース９内部に侵入し易くなるため、受信感度を向上できる。同様に、文字板９５もプラスチック製にすれば、電波がケース９内に入りやすくなり、受信感度を向上できる。
【００５７】
前記実施形態では、アモルファス箔を平面円弧形状に形成して時計１の厚み方向（縦方向）に積層してコア２１１を製造していたが、アモルファス箔を平面矩形状に形成して時計の平面方向（時計の厚み方向に対して直交する方向つまり横方向）に積層してコアを製造してもよい。この場合、各アモルファス箔を湾曲させる必要があるが、アモルファス箔は薄膜であるため、比較的容易に湾曲できるため問題はない。その上、各アモルファス箔を平面円弧形状に成形する必要が無く、平面矩形状（長方形状）に成形できるため、各アモルファス箔つまりはコアを簡単にかつ効率的に製造することができる。
さらに、アンテナのコアとしては、積層アモルファス箔で構成されたものに限らず、フェライトコアなどの磁性体を用いてもよい。
また、アンテナコアの長さは、適宜設定でき、例えば、円弧状に形成された場合であれば、その中心角が１８０度程度まで長くすることもでき、さらに１８０度以上とすることもできる。アンテナ特性は、アンテナの長さが長い方が向上する。従って、アンテナ長を最低１５ｍｍ程度確保する場合には前記中心角は５０〜６０度程度とすればよいが、アンテナ特性をより向上させる点では中心角をより大きくすることが好ましい。一方で、前記中心角を１８０度以上とすると、アンテナ２１の両端部の軸方向つまり鎖交磁界（磁束）が入る方向および出る方向と、アンテナ２１の中間部における磁束の方向とが９０度以上となり、磁界成分の流れがスムーズでなくなるため、１８０度を大幅に超えて大きくすることは好ましくない。従って、アンテナコアの長さは円弧状あるいは円弧に近似した多角形状に形成した場合、その中心角が約５０度〜２４０度程度の範囲に納めることが好ましく、前記鎖交磁束の方向やアンテナ特性を考慮すると、前記中心角が約６０〜１８０度の範囲であることが好ましい。なお、実際には、モータコイルや電池等の他の部品の配置スペース等も考慮して設定すればよい。
なお、コアが円弧状に形成されていない場合でも、各端面の位置関係が円弧状の場合と同様となるように構成すればよい。
【００５８】
さらに、本発明において、無給電素子として利用されるモータは、時計において一般的に用いられるステップモータ等が利用できる。従って、モータのコアも、パーマロイ等の一般的な時計のステップモータに使用されるコアが利用できる。
【００５９】
また、前記実施形態では、アンテナ２１と電池７２とを中心点Ｏを挟んで反対側に配置していたが、必ずしもそのような配置に限定されず、より近接して配置してもよい。同様に、基準振動子３１１とアンテナ２１との配置関係も前記実施形態に限定されず、例えば、電池７２や基準振動子３１１とアンテナ２１との間隔を距離Ｗ１以下にしてもよい。
さらに、前記各実施形態では、コアの両端部近傍までコイルを巻いていたが、コアの中間部のみにコイルを巻いてもよい。但し、アンテナ特性やスペース効率の点では前記実施形態のようにコアの両端部近傍までコイルを巻くことが好ましい。
また、２つ以上のモータが存在する場合、各モータコイルをアンテナの一方の端部側に順次並べて配置してもよい。
【００６０】
さらに、アンテナ２１によって受信する無線情報としては、時刻情報を含む長波標準電波に限定されない。例えば、時刻情報を受信する場合でも、その無線信号としては、３００ＭＨｚ帯の微弱電波無線、４００ＭＨｚ帯の特定小電力無線、２．４ＧＨｚ帯のＢｌｕｅｔｏｏｔｈ（ブルートゥース）等を利用してもよい。これらの無線を受信する場合には、周波数が高いため、コイル２１２のターン数は少なくてよく、アンテナ２１も小さくできる。
【００６１】
また、電波を用いた無線通信に限らず、電磁結合方式や電磁誘導方式等の他の無線通信方式を用いてもよい。なお、電磁結合や電磁誘導方式は、通信機器同士を近接させる必要があるが、ステンレス等の非磁性体であれば金属部分でも透過して通信が可能なため、アンテナが内蔵されるケースをステンレス等の金属製で構成できる利点がある。
【００６２】
さらに、前記アンテナ２１を用いて通信する無線情報としては、時刻情報に限らない。例えば、時計１内にＩＣカード機能を内蔵させ、電車の定期券や各種プリペイドＩＣカードのような情報を送受信するために利用してもよい。例えば、ケース９内にＩＣチップとアンテナ等を組み込み、ＩＣカードを用いた改札機や入退室管理機、各種の課金支払機等に腕時計を近接させて情報をやり取りできるようにしてもよい。この場合、別途、ＩＣカードを出し入れする必要がなく、時計をはめた手を近付けるだけでよいため、操作性を非常に向上することができる。
従って、本発明の外装ケース９に内蔵されるアンテナ２１としては、標準電波を受信する場合のような受信専用に用いるものでもよいし、非接触ＩＣを用いたタグのように、情報を送受信するために用いてもよいし、さらには送信専用に用いてもよく、これらは本発明を適用する電子時計つまりはアンテナ内蔵式電子機器の種類に応じて適宜選択すればよい。
【００６３】
本発明のアンテナ内蔵式電子機器としては、前述の電波修正時計に限定されず、例えば、前記ＩＣカード機能のみが設けられた電子機器等の各種電子機器にも適用できる。例えば、電子機器としては、脈拍や体温等の測定機器や通信、通話機能を備えた通信機器、カレンダやスケジュール、アドレス帳機能を備えた携帯情報端末機器、電子計算機能を備えた携帯型コンピュータ、音楽や画像、映像再生機能を備えたＡＶ機器、非接触型通信機能を備えた個人情報管理用機器等の各種の無線情報の通信機能を有する電子機器に適用できる。
これらの電子機器においても、例えば本体に液晶表示部等を設け、外装ケース９内に組み込まれたアンテナで受信したり、外部に送信する情報、例えば残金情報や使用履歴等の情報を表示するようにしてもよい。さらには、電子機器から利用者のＩＤ情報を通信できるようにし、その電子機器と通信するシステム側から利用者に情報を提供するようにしてもよい。例えば、交通機関への乗降車時や、イベント会場や店舗への入退場時、会社等への出退勤時に、利用者全員にメッセージを送ったり、特定の人（ＩＤで特定）に特別なメッセージ（特典ポイントの案内、イベント情報）を送るようにしてもよい。
【００６４】
また、アンテナ２１は、ループアンテナに限らず、誘導体アンテナ等の他のアンテナを用いてもよく、これらは送信あるいは受信する無線情報の種類等に応じて適宜設定すればよい。なお、ループアンテナを用いる場合は、磁性体コアが挿入されていないものを用いてもよい。
【００６５】
【発明の効果】
前述のように本発明のアンテナ内蔵式電子時計によれば、アンテナ内蔵式電子時計において、アンテナ特性を向上することができるという効果がある。
【図面の簡単な説明】
【図１】本発明の第１実施形態の構成を示すブロック図である。
【図２】前記実施形態のアンテナの構成を示す斜視図である。
【図３】前記実施形態の受信回路の構成を示すブロック図である。
【図４】前記実施形態の時計の概略平面図である。
【図５】前記実施形態の時計の概略断面図である。
【図６】アンテナによる電波の受信を説明する概念図である。
【図７】モータの駆動回路を示す回路図である。
【図８】前記実施形態のアンテナおよびモータコイルの配置関係を示す概略図である。
【図９】前記実施形態におけるモータパルスおよび受信制御信号を示す信号波形図である。
【図１０】本発明の第２実施形態の時計の概略平面図である。
【図１１】本発明の第３実施形態の時計の概略平面図である。
【図１２】本発明の他の変形例を示す概略断面図である。
【符号の説明】
１，１Ａ…電波修正時計、２…受信手段、３…駆動制御回路部、４…駆動手段、９…外装ケース、２１，５１…アンテナ、７１…発電装置、７２…高容量二次電源、８０…回路基板、９１…ケーシング、９１Ａ…内周面、９２…カバーガラス、９３…裏蓋、９５…文字板、９６…地板、２１１，５１１…磁性体コア、２１２，５１２…コイル、３１１…基準振動子、４１１…秒モータ、４２１…時分モータ、４１２，４２２，４３１…モータコイル。
【図１】
2005049154.tif 000003
【図２】
2005049154.tif 000004
【図３】
2005049154.tif 000005
【図４】
2005049154.tif 000006
【図５】
2005049154.tif 000007
【図６】
2005049154.tif 000008
【図７】
2005049154.tif 000009
【図８】
2005049154.tif 000010
【図９】
2005049154.tif 000011
【図１０】
2005049154.tif 000012
【図１１】
2005049154.tif 000013
【図１２】
2005049154.tif 000014